(57)【要約】【課題】巻線の外部磁界との鎖交断面積のばらつきが抑制され電流測定誤差が低減されたロゴスキーコイルおよびロゴスキーコイルを備えた電流測定器を提供すること。【解決手段】ロゴスキーコイル１は、非磁性体からなる円環形状の巻芯３と、巻芯３に１層で巻回され、直列に接続された巻線部分４ａ，４ｂを備えると共に、巻線部分４ａの一端部が巻き始め端部となり、巻線部分４ｂの一端が巻き終り端部となる巻線４と、巻線部分４ａ，４ｂ同士の接続点から引き出された中間タップとを備える。巻線部分４ａ，４ｂは、それぞれ、巻芯３に螺旋状に複数回連続して巻回された巻回部と巻芯３の周方向に隣接する巻回部間を巻芯３の内周側で渡る渡り線部とが周方向の全周にわたって複数回交互に繰り返されてなる。巻線部分４ａ，４ｂの巻回部は、当該順序で周方向に配列されると共に全周にわたって複数回繰り返して配列される。【選択図】図３
2016017767.tif 000002
【特許請求の範囲】
【請求項１】
非磁性体からなる円環形状の巻芯と、
前記巻芯に１層で巻回され、ｎを２以上の整数とした場合に順次直列に接続された第１から第ｎの巻線部分を備えると共に、前記第１の巻線部分の一端部が巻き始め端部となり、前記第ｎの巻線部分の一端が巻き終り端部となる巻線と、
前記巻線部分同士の接続点からそれぞれ引き出された中間タップと、
を備え、
前記第１から第ｎの巻線部分は、それぞれ、前記巻芯に螺旋状に複数回連続して巻回された巻回部と前記巻芯の周方向に隣接する巻回部間を前記巻芯の内周側で渡る渡り線部とが前記周方向の全周にわたって複数回交互に繰り返されてなり、
前記第１から第ｎの巻線部分の巻回部は、当該順序で前記周方向に配列されると共に前記全周にわたって複数回繰り返して配列されることを特徴とするロゴスキーコイル。
【請求項２】
前記巻き終り端部および前記中間タップは、前記巻き始め端部と前記周方向に同じ位置で引き出されることを特徴とする請求項１に記載のロゴスキーコイル。
【請求項３】
請求項１または２に記載のロゴスキーコイルを備えることを特徴とする電流測定器。
【発明の詳細な説明】
【技術分野】
【０００１】
本発明は、ロゴスキーコイルおよびロゴスキーコイルを備えた電流測定器に関するものである。
【背景技術】
【０００２】
従来、ガス絶縁開閉装置では、主回路導体を流れる電流を測定するために計器用変流器が設けられている。計器用変流器は、鉄心に巻線を巻装した鉄心型のものが一般的であるが、ロゴスキーコイルを利用して電流を測定するものもある（例えば、特許文献１）。
【０００３】
ロゴスキーコイルは、磁気飽和が生じないように非磁性体の巻芯に巻線を螺旋状に巻装したものである。ロゴスキーコイルの出力は、測定対象の電流の時間微分に正比例した電圧となる。従って、ロゴスキーコイルの後段には電流検出部が接続され、当該電流検出部ではロゴスキーコイルの出力が積分された後に電流値に変換される。
【０００４】
また、広範囲の電流測定を目的として、ロゴスキーコイルに中間タップが設けられる場合がある。例えば、巻線が巻芯に合計２Ｎ回巻回されて構成されるロゴスキーコイルにおいて、Ｎ巻目と（Ｎ＋１）巻目との間から中間タップとなる引き出し線を引き出した場合には、巻線の巻き始め端部と中間タップとの組み合わせによる電流測定と、巻き始め端部と巻き終り端部との組み合わせによる電流測定が可能となり、二通りの定格電流に対応した電流測定が可能となり、電流測定範囲が拡大される。
【０００５】
従来、中間タップを備えたロゴスキーコイルでは、巻線は巻芯に複数層巻回される。例えば、上記した１個の中間タップを備えたロゴスキーコイルでは、１巻目からＮ巻目までの巻線の上に（Ｎ＋１）巻目から２Ｎ巻目までの巻線が巻回され、巻線は巻芯上に２層で配置される。
【先行技術文献】
【特許文献】
【０００６】
【特許文献１】特開平６−８４６７２号公報
【発明の概要】
【発明が解決しようとする課題】
【０００７】
しかしながら、従来の中間タップを備えたロゴスキーコイルでは、巻線は巻芯上に複数層で配置される構成となるため、下層の巻線の上に上層の巻線がうまく乗らず、もしくは、下層の巻線と上層の巻線とが交差し、または、巻き付けの強さが不均一になることにより、巻芯の横断面における巻線の断面積が巻芯の延伸方向である周方向の位置によってばらつきやすい。
【０００８】
そのため、従来の中間タップを備えたロゴスキーコイルでは、測定対象の電流が発生する外部磁界と鎖交する巻線の鎖交断面積にばらつきが発生する。ロゴスキーコイルの後段の電流検出部では、鎖交断面積にばらつきがないものとして電流値を演算しているので、鎖交断面積にばらつきが生ずると、電流測定誤差が発生するという問題があった。
【０００９】
この発明は、上記に鑑みてなされたものであって、巻線の外部磁界との鎖交断面積のばらつきが抑制され電流測定誤差が低減されたロゴスキーコイルおよびロゴスキーコイルを備えた電流測定器を提供することを目的とする。
【課題を解決するための手段】
【００１０】
上述した課題を解決し、目的を達成するために、本発明に係るロゴスキーコイルは、非磁性体からなる円環形状の巻芯と、前記巻芯に１層で巻回され、ｎを２以上の整数とした場合に順次直列に接続された第１から第ｎの巻線部分を備えると共に、前記第１の巻線部分の一端部が巻き始め端部となり、前記第ｎの巻線部分の一端が巻き終り端部となる巻線と、前記巻線部分同士の接続点からそれぞれ引き出された中間タップと、を備え、前記第１から第ｎの巻線部分は、それぞれ、前記巻芯に螺旋状に複数回連続して巻回された巻回部と前記巻芯の周方向に隣接する巻回部間を前記巻芯の内周側で渡る渡り線部とが前記周方向の全周にわたって複数回交互に繰り返されてなり、前記第１から第ｎの巻線部分の巻回部は、当該順序で前記周方向に配列されると共に前記全周にわたって複数回繰り返して配列されることを特徴とする。
【発明の効果】
【００１１】
本発明によれば、巻線の外部磁界との鎖交断面積のばらつきが抑制され電流測定誤差が低減されたロゴスキーコイルおよびロゴスキーコイルを備えた電流測定器を提供することができる、という効果を奏する。
【図面の簡単な説明】
【００１２】
【図１】図１は、実施の形態１に係る電流測定器の構成を示す図である。
【図２】図２は、図１におけるＡ−Ａ断面図である。
【図３】図３は、実施の形態１に係るロゴスキーコイルの構成を示す図である。
【図４】図４は、実施の形態２に係るロゴスキーコイルの構成を示す図である。
【００１３】
以下に、本発明に係るロゴスキーコイルおよび電流測定器の実施の形態を図面に基づいて詳細に説明する。なお、この実施の形態によりこの発明が限定されるものではない。
【００１４】
実施の形態１．
図１は、本実施の形態に係る電流測定器の構成を示す図、図２は、図１におけるＡ−Ａ断面図、図３は、本実施の形態に係るロゴスキーコイルの構成を示す図である。
【００１５】
図１に示すように、本実施の形態に係る電流測定器は、ロゴスキーコイル１と、ロゴスキーコイル１にケーブル６ａ，６ｂを介して接続された電流検出部２とを備えている。なお、電流測定時には、測定対象の電流がロゴスキーコイル１を貫通するようにロゴスキーコイル１を配置する。
【００１６】
ロゴスキーコイル１は、３本の引き出し線５ａ〜５ｃを備えており、後述するように、引き出し線５ａは巻線４の巻き始め端部に相当し、引き出し線５ｂは中間タップに相当し、引き出し線５ｃは巻線４の巻き終り端部に相当する。電流検出部２は、ケーブル６ａ，６ｂを介して引き出し線５ａ，５ｂまたは引き出し線５ａ，５ｃに接続される。図１では、電流検出部２は例えば引き出し線５ａ，５ｃに接続されている。
【００１７】
電流検出部２は、ロゴスキーコイル１の出力に基づいて測定対象の電流値を検出する。ロゴスキーコイル１の出力は、測定対象の電流の時間微分に正比例する電圧となる。従って、電流検出部２は、ロゴスキーコイル１の出力を積分する積分回路（図示せず）を備えている。
【００１８】
次に、図２および図３を参照して、ロゴスキーコイル１の詳細構成について説明する。ロゴスキーコイル１は、巻芯３と、巻芯３に巻回された巻線４とを備えている。
【００１９】
巻芯３は、非磁性体からなり、例えば絶縁体からなる。巻芯３は、例えば円環状である（図３）。また、巻芯３の断面形状は、例えば角のない矩形状である（図２）。ここで、巻芯３の断面形状は、巻芯３の周方向と直交する横断面における形状である。巻芯３の周方向は、巻芯３の延伸方向でもある。巻芯３は、周方向に例えば同一の形状で同一の大きさである。なお、巻芯３の断面形状は、例えば円形状でもよい。
【００２０】
巻線４は、均一の太さの導線からなり、巻芯３に１層で巻回されている（図２）。また、巻線４は、直列に接続された巻線部分４ａ，４ｂを備える。図３では、巻線部分４ａを実線で示し、巻線部分４ｂを点線で示している。
【００２１】
詳細には、巻線部分４ａの一端部は、巻線４の巻き始め端部であり、かつ、引き出し線５ａとなる。また、巻線部分４ｂの一端部は、巻線４の巻き終り端部であり、かつ、引き出し線５ｃとなる。そして、巻線部分４ａ，４ｂの他端部同士が接続されている。図３では、巻線部分４ａ，４ｂ同士の接続点をＰ点（図３）で示している。
【００２２】
すなわち、巻線４のうち、巻き始め端部から巻芯３に巻き進められて巻芯３を１周回するまでの部分が巻線部分４ａであり、巻線部分４ａとの接続箇所からさらに同方向に巻芯３に巻き進められて巻芯３を１周回するまでの部分が巻芯部分４ｂである。このように、巻線部分４ａ，４ｂは一本の巻線４を１周回目と２周回目で区別して表したものである。また、巻線部分４ａ，４ｂの他端部同士の接続箇所であるＰ点からは中間タップである引き出し線５ｂが引き出されている。具体的には、引き出し線５ｂは、Ｐ点で巻線４に結び付けられまたは接合されている。
【００２３】
次に、巻線部分４ａ，４ｂの詳細について説明する。巻線部分４ａは、巻芯３に螺旋状に複数回連続して巻回された巻回部Ｎａと巻芯３の周方向に隣接する巻回部Ｎａ間を巻芯３の内周側で渡る渡り線部Ｌａとが巻芯３の周方向の全周にわたって４回交互に繰り返されてなる。４個の巻回部Ｎａは、それぞれ、例えば同じ巻数でかつ同じ巻線密度である。ここで、巻線密度とは、周方向の単位長さあたりの巻数をいう。
【００２４】
具体的には、巻線部分４ａは、周方向に例えば等間隔で配置された４個の巻回部Ｎａを備え、巻き始め端部に続く最初の巻回部Ｎａと２番目の巻回部Ｎａとの間、２番目の巻回部Ｎａと３番目の巻回部Ｎａとの間、および３番目の巻回部Ｎａと最後の巻回部Ｎａとの間がそれぞれ渡り線部Ｌａでつながり、さらに最後の巻回部Ｎａにつながる渡り線部Ｌａが最初の巻回部Ｎａの位置まで渡ってＰ点で巻線部分４ｂの一端部に接続されている。
【００２５】
同様に、巻線部分４ｂは、巻芯３に螺旋状に複数回連続して巻回された巻回部Ｎｂと巻芯３の周方向に隣接する巻回部Ｎｂ間を巻芯３の内周側で渡る渡り線部Ｌｂとが巻芯３の周方向の全周にわたって４回交互に繰り返されてなる。４個の巻回部Ｎｂは、それぞれ、例えば同じ巻数でかつ同じ巻線密度である。また、巻回部Ｎｂの巻数と巻線密度は、例えば巻回部Ｎａの巻数と巻線密度に等しい。
【００２６】
具体的には、巻回部Ｎｂは、それぞれ、隣接する巻回部Ｎａ間に配置され、周方向に等間隔で配置される。この際、巻回部Ｎｂは、渡り線部Ｌａを巻き込まないように巻芯３に巻回される。巻線部分４ｂは、渡り線部Ｌｂから始まり、当該渡り線部Ｌｂが最初の巻回部Ｎｂにつながり、さらに、最初の巻回部Ｎｂと２番目の巻回部Ｎｂとの間、２番目の巻回部Ｎｂと３番目の巻回部Ｎｂとの間、および３番目の巻回部Ｎｂと最後の巻回部Ｎｂとの間がそれぞれ渡り線部Ｌｂでつながり、最後の巻回部Ｎｂから先が引き出し線５ｃとして引き出されている。
【００２７】
また、巻回部Ｎａ，Ｎｂは、当該順序で周方向に配列されると共に全周にわたって４回繰り返して配列される。すなわち、巻回部Ｎａ，Ｎｂは、全周にわたって交互にかつ互いに重ならないように配置される。このような巻回部Ｎａ，Ｎｂの配置により、巻線４は周方向に例えば同じ巻線密度となっている。また、渡り線部Ｌａは、巻芯３の内周側で巻回部Ｎｂに巻き込まれないようにして巻回部Ｎｂを渡り、渡り線部Ｌｂは、巻芯３の内周側で巻回部Ｎａに巻き込まれないようにして巻回部Ｎａを渡る。
【００２８】
本構成では、巻回部Ｎａ，Ｎｂの各巻数をＮとした場合に、引き出し線５ａ，５ｂ間での総巻数は４Ｎ回となり、引き出し線５ａ，５ｃ間での総巻数は８Ｎ回となる。
【００２９】
上記のようにして、ロゴスキーコイル１は、中間タップである引き出し線５ｂを備える構成でありながら、巻芯３上に１層で巻回された巻線４を備えて構成される。図２のように、巻線４を巻芯３に１層で巻回することで、巻芯３の横断面における巻線４の断面積が巻芯３の周方向の位置によらずに均一とし、巻線４の断面積のばらつきを抑制することが可能となる。
【００３０】
これに対し、従来の中間タップを備えたロゴスキーコイルのように、巻線を巻芯に複数層で巻回する場合には、巻芯の横断面における巻線の断面積が巻芯の周方向の位置によりばらつきやすい。
【００３１】
以上説明したように、本実施の形態によれば、中間タップを備えたロゴスキーコイル１において、巻芯３上に巻線４を１層で巻回するようにしたので、測定対象の電流が発生する外部磁界と鎖交する巻線４の鎖交断面積のばらつきを抑制することができ、電流測定誤差を低減することが可能になる。
【００３２】
また、本実施の形態によれば、ロゴスキーコイル１に中間タップを設けるようにしたので、ロゴスキーコイル１によって二通りの出力を得ることが可能となる。ロゴスキーコイル１の巻数は、測定対象の定格電流に対応して設定されるが、中間タップを設けることにより、２通りの巻数に対応する出力が得られるので、２通りの定格電流に対応した構成とすることが可能となり、より広範囲の電流測定が可能となる。
【００３３】
また、本実施の形態では、巻き終り端部および中間タップは、巻き始め端部と周方向に同じ位置で引き出される。すなわち、引き出し線５ａ〜５ｃは、巻き始め端部と周方向に同じ位置で引き出されるので、配線の引き回しが簡素化される。
【００３４】
なお、本実施の形態では、巻回部Ｎａ，Ｎｂはそれぞれ４個設けているが、一般に複数個設ける構成であればよい。
【００３５】
また、本実施の形態では、４個の巻回部Ｎａはすべて同一の巻数としたが、巻数が異なっていてもよい。また、４個の巻回部Ｎａは、周方向に等間隔で配置されるとしたが、離隔していればよく、等間隔でなくてもよい。これらは、４個の巻回部Ｎｂについても同様である。
【００３６】
実施の形態２．
図４は、本実施の形態に係るロゴスキーコイルの構成を示す図である。図４に示すように、ロゴスキーコイル１は、４本の引き出し線５ａ〜５ｄを備えており、後述するように、引き出し線５ａは巻線４の巻き始め端部に相当し、引き出し線５ｂは第１の中間タップに相当し、引き出し線５ｃは第２の中間タップに相当し、引き出し線５ｄは巻線４の巻き終り端部に相当する。すなわち、本実施の形態では、ロゴスキーコイル１は、２個の中間タップを備えている。
【００３７】
実施の形態１と同様に、巻線４は、均一の太さの導線からなり、巻芯３に１層で巻回されている。また、巻線４は、直列に接続された巻線部分４ａ〜４ｃを備える。図４では、巻線部分４ａを実線で示し、巻線部分４ｂを点線で示し、巻線部分４ｃを一点鎖線で示している。
【００３８】
詳細には、巻線部分４ａの一端部は、巻線４の巻き始め端部であり、かつ、引き出し線５ａとなる。また、巻線部分４ｃの一端部は、巻線４の巻き終り端部であり、かつ、引き出し線５ｄとなる。そして、巻線部分４ａの他端部と巻線部分４ｂの一端部とが接続され、巻線部分４ｂの他端部と巻線部分４ｃの他端部とが接続されている。
【００３９】
すなわち、巻線４のうち、巻き始め端部から巻芯３に巻き進められて巻芯３を１周回するまでの部分が巻線部分４ａであり、巻線部分４ａとの接続箇所からさらに同方向に巻芯３に巻き進められて巻芯３を１周回するまでの部分が巻芯部分４ｂであり、巻線部分４ｂとの接続箇所からさらに同方向に巻芯３に巻き進められて巻芯３を１周回するまでの部分が巻芯部分４ｃである。このように、巻線部分４ａ〜４ｃは一本の巻線４を１周回目と２周回目と３周回目で区別して表したものである。
【００４０】
また、巻線部分４ａ，４ｂ同士の接続点からは第１の中間タップである引き出し線５ｂが引き出され、巻線部分４ｂ，４ｃ同士の接続点からは第２の中間タップである引き出し線５ｃが引き出されている。具体的には、引き出し線５ｂは、巻線部分４ａ，４ｂ同士の接続点で巻線４に結び付けられまたは接合されている。同様に、具体的には、引き出し線５ｃは、巻線部分４ｂ，４ｃ同士の接続点で巻線４に結び付けられまたは接合されている。
【００４１】
次に、巻線部分４ａ〜４ｃの詳細について説明する。巻線部分４ａは、巻芯３に螺旋状に複数回連続して巻回された巻回部Ｎａと巻芯３の周方向に隣接する巻回部Ｎａ間を巻芯３の内周側で渡る渡り線部Ｌａとが巻芯３の周方向の全周にわたって４回交互に繰り返されてなる。４個の巻回部Ｎａは、それぞれ、例えば同じ巻数でかつ同じ巻線密度である。
【００４２】
具体的には、巻線部分４ａは、周方向に例えば等間隔で配置された４個の巻回部Ｎａを備え、巻き始め端部に続く最初の巻回部Ｎａと２番目の巻回部Ｎａとの間、２番目の巻回部Ｎａと３番目の巻回部Ｎａとの間、および３番目の巻回部Ｎａと最後の巻回部Ｎａとの間がそれぞれ渡り線部Ｌａでつながり、さらに最後の巻回部Ｎａにつながる渡り線部Ｌａが最初の巻回部Ｎａの位置まで渡って巻線部分４ｂの一端部に接続されている。
【００４３】
同様に、巻線部分４ｂは、巻芯３に螺旋状に複数回連続して巻回された巻回部Ｎｂと巻芯３の周方向に隣接する巻回部Ｎｂ間を巻芯３の内周側で渡る渡り線部Ｌｂとが巻芯３の周方向の全周にわたって４回交互に繰り返されてなる。４個の巻回部Ｎｂは、それぞれ、例えば同じ巻数でかつ同じ巻線密度である。また、巻回部Ｎｂの巻数と巻線密度は、例えば巻回部Ｎａの巻数と巻線密度に等しい。
【００４４】
具体的には、巻回部Ｎｂは、それぞれ、隣接する巻回部Ｎａ間に配置され、周方向に等間隔で配置される。この際、巻回部Ｎｂは、渡り線部Ｌａを巻き込まないように巻芯３に巻回される。巻線部分４ｂは、渡り線部Ｌｂから始まり、当該渡り線部Ｌｂが最初の巻回部Ｎｂにつながり、さらに、最初の巻回部Ｎｂと２番目の巻回部Ｎｂとの間、２番目の巻回部Ｎｂと３番目の巻回部Ｎｂとの間、および３番目の巻回部Ｎｂと最後の巻回部Ｎｂとの間がそれぞれ渡り線部Ｌｂでつながり、さらに最後の巻回部Ｎｂにつながる渡り線部Ｌｂが最初の巻回部Ｎｂの位置まで渡って巻線部分４ｃの他端部に接続されている。
【００４５】
同様に、巻線部分４ｃは、巻芯３に螺旋状に複数回連続して巻回された巻回部Ｎｃと巻芯３の周方向に隣接する巻回部Ｎｃ間を巻芯３の内周側で渡る渡り線部Ｌｃとが巻芯３の周方向の全周にわたって４回交互に繰り返されてなる。４個の巻回部Ｎｃは、それぞれ、例えば同じ巻数でかつ同じ巻線密度である。また、巻回部Ｎｃの巻数と巻線密度は、例えば巻回部Ｎａ，Ｎｂの巻数と巻線密度に等しい。
【００４６】
具体的には、巻回部Ｎｃは、それぞれ、隣接する巻回部Ｎａ間でかつ隣接する巻回部Ｎｂ間に配置され、周方向に等間隔で配置される。この際、巻回部Ｎｃは、渡り線部Ｌａ，Ｌｂを巻き込まないように巻芯３に巻回される。巻線部分４ｃは、渡り線部Ｌｃから始まり、当該渡り線部Ｌｃが最初の巻回部Ｎｃにつながり、さらに、最初の巻回部Ｎｃと２番目の巻回部Ｎｃとの間、２番目の巻回部Ｎｃと３番目の巻回部Ｎｃとの間、および３番目の巻回部Ｎｃと最後の巻回部Ｎｃとの間がそれぞれ渡り線部Ｌｃでつながり、最後の巻回部Ｎｃから先が引き出し線５ｄとして引き出されている。
【００４７】
また、巻回部Ｎａ〜Ｎｃは、当該順序で周方向に配列されると共に全周にわたって４回繰り返して配列される。この際、巻回部Ｎａ〜Ｎｃは、互いに重ならないように配置される。このような巻回部Ｎａ〜Ｎｃの配置により、巻線４は周方向に例えば同じ巻線密度となっている。また、渡り線部Ｌａは、巻芯３の内周側で巻回部Ｎｂ，Ｎｃに巻き込まれないようにして巻回部Ｎｂ，Ｎｃを渡り、渡り線部Ｌｂは、巻芯３の内周側で巻回部Ｎｃ，Ｎａに巻き込まれないようにして巻回部Ｎｃ，Ｎａを渡り、渡り線部Ｌｃは、巻芯３の内周側で巻回部Ｎａ，Ｎｂに巻き込まれないようにして巻回部Ｎａ，Ｎｂを渡る。
【００４８】
本構成では、巻回部Ｎａ〜Ｎｃの各巻数をＮとした場合に、引き出し線５ａ，５ｂ間での総巻数は４Ｎ回となり、引き出し線５ａ，５ｃ間での総巻数は８Ｎ回となり、引き出し線５ａ，５ｄ間での総巻数は１２Ｎ回となる。
【００４９】
上記のようにして、ロゴスキーコイル１は、２個の中間タップである引き出し線５ｂ，５ｃを備える構成でありながら、巻芯３上に１層で巻回された巻線４を備えて構成される。本実施の形態のその他の構成は実施の形態１と同じである。
【００５０】
本実施の形態によれば、２個の中間タップを備えたロゴスキーコイル１において、巻芯３上に巻線４を１層で巻回するようにしたので、測定対象の電流が発生する外部磁界と鎖交する巻線４の鎖交断面積のばらつきを抑制することができ、電流測定誤差を低減することが可能になる。
【００５１】
また、本実施の形態によれば、ロゴスキーコイル１に２個の中間タップを設けるようにしたので、実施の形態１よりも、より広範囲な電流測定が可能となる。本実施の形態のその他の効果は実施の形態１と同じである。
【００５２】
なお、本実施の形態では、巻回部Ｎａ〜Ｎｃはそれぞれ４個設けているが、一般に複数個設ける構成であればよい。
【００５３】
また、本実施の形態では、４個の巻回部Ｎａはすべて同一の巻数としたが、巻数が異なっていてもよい。また、４個の巻回部Ｎａは、周方向に等間隔で配置されるとしたが、離隔していればよく、等間隔でなくてもよい。これらは、それぞれ４個の巻回部Ｎｂ，Ｎｃについても同様である。
【００５４】
なお、実施の形態１，２は、さらに一般化することができる。すなわち、ｎを２以上の整数とした場合に、巻線４を順次直列に接続された第１から第ｎの巻線部分から構成し、第１の巻線部分の一端部を巻き始め端部として引き出し、第ｎの巻線部分の一端を巻き終り端部として引き出し、巻線部分同士の接続点からそれぞれ中間タップを引き出す。また、第１から第ｎの巻線部分は、それぞれ、巻芯３に螺旋状に複数回連続して巻回された巻回部と巻芯３の周方向に隣接する巻回部間を巻芯３の内周側で渡る渡り線部とが周方向の全周にわたって複数回交互に繰り返されてなるようにする。そして、第１から第ｎの巻線部分の巻回部は、当該順序で周方向に配列されると共に全周にわたって複数回繰り返して配列されるようにする。なお、各巻線部分の巻回部の巻数および巻線密度は限定はされない。
【００５５】
このように構成されたロゴスキーコイル１は、（ｎ−１）個の中間タップを備えると共に、実施の形態１，２と同様に、巻芯３上に１層で巻回された巻線４を備えるので、測定対象の電流が発生する外部磁界と鎖交する巻線４の鎖交断面積のばらつきを抑制することができ、電流測定誤差を低減することが可能になる。
【産業上の利用可能性】
【００５６】
本発明は、ロゴスキーコイルおよびロゴスキーコイルを備えた電流測定器として有用である。
【符号の説明】
【００５７】
１  ロゴスキーコイル、２  電流検出部、３  巻芯、４  巻線、４ａ，４ｂ  巻線部分、５ａ〜５ｄ  引き出し線、６ａ，６ｂ  ケーブル。
【図１】
2016017767.tif 000003
【図２】
2016017767.tif 000004
【図３】
2016017767.tif 000005
【図４】
2016017767.tif 000006